(57)【要約】【課題】簡単な構造で液の侵入を防止することができる。【解決手段】ボックス本体４１１を液だれが発生し得る部位に取り付ける電源ボックス４１０において、ボックス本体４１１の外壁に、外部から束線４１３を引き回せるように電源取り入れ口４２０を設け、この電源取り入れ口４２０の入口部の電源ボックス内部側に電源取り入れ口４２０を囲む覆い壁４２１を設け、この覆い壁４２１を介して配線可能である。【選択図】図３
2004172289.tif 000002
【特許請求の範囲】
【請求項１】
ボックス本体を液だれが発生し得る部位に取り付ける電源ボックスにおいて、
前記ボックス本体の外壁に、外部から束線を引き回せるように電源取り入れ口を設け、この電源取り入れ口の入口部の電源ボックス内部側に前記電源取り入れ口を囲む覆い壁を設け、この覆い壁を介して配線可能であることを特徴とする電源ボックス。
【請求項２】
前記ボックス本体の前記覆い壁の高さが、前記電源取り入れ口の高さより高いことを特徴とする請求項１に記載の電源ボックス。
【請求項３】
前記覆い壁の上部に、前記電源ボックスの内部に外部から束線を引き回す切欠きを設けたことを特徴とする請求項１または請求項２に記載の電源ボックス。
【請求項４】
前記覆い壁が平面視においてコの字型であることを特徴とする請求項１乃至請求項３のいずれか１項に記載の電源ボックス。
【請求項５】
前記液だれが発生し得る部位が、処理液で感光材料を現像処理する処理部の部位であることを特徴とする請求項１乃至請求項４のいずれか１項に記載の電源ボックス。
【発明の詳細な説明】
【０００１】
【発明の属する技術分野】
この発明は、液だれが発生し得る部位に取り付ける電源ボックスに関するものである。
【０００２】
【従来の技術】
従来、液だれが発生し得るフレームに取り付ける電源ボックスとして、例えば、壁面の排水口を浸水防止部材で塞ぎ、接続箱本体の外部から内部へ浸水する水滴を浸水防止部材により吸収し、接続箱本体の外部から内部への浸水を防止するものがある（例えば、特許文献１）。
【０００３】
また、ケーブル、特に電気ケーブルを壁面を貫通させる場合に、フレームとの接触による損傷を防止すると共に、壁面を伝って流れてくる液体が壁面内に侵入することを防止するものがある（例えば、特許文献２）。
【０００４】
【特許文献１】
特開平１１−２１５６５３号公報（第１〜第４頁、図１〜図５）
【０００５】
【特許文献２】
特開平９−２５８４０７号公報（第１〜第７頁、図２、図７）
【０００６】
【発明が解決しようとする課題】
このような特許文献１及び特許文献２の構造では、構造が複雑であるため、例えば図１１に示すように、電源ボックス１００の内部の電気部品１０１に外部から束線１０２を容易に引き回せるように、電源ボックス１００の外壁１０４に電源取り入れ口１０５を設け、この電源取り入れ口１０５の入口部に、一枚の板の壁１０６を電源取り入れ口１０５に対して水平に電源ボックス内部側に立てたものがあるが、矢印ａで示す直接入ってくる液のみを防ぐことができるが、矢印ｂで示す横方向から回り込む液の侵入を防ぐことができない。
【０００７】
この発明は、かかる実情に鑑みてなされたもので、簡単な構造で液の侵入を防止することができる電源ボックスを提供することを目的としている。
【０００８】
【課題を解決するための手段】
前記課題を解決し、かつ目的を達成するために、この発明は、以下のように構成した。
【０００９】
請求項１に記載の発明は、ボックス本体を液だれが発生し得る部位に取り付ける電源ボックスにおいて、
前記ボックス本体の外壁に、外部から束線を引き回せるように電源取り入れ口を設け、この電源取り入れ口の入口部の電源ボックス内部側に前記電源取り入れ口を囲む覆い壁を設け、この覆い壁を介して配線可能であることを特徴とする電源ボックスである。
【００１０】
この請求項１に記載の発明によれば、電源ボックスの電源取り入れ口を囲む覆い壁を設けることで、簡単な構造で液の侵入を防ぐと同時にケーブル等の束線を容易に配線することができる。
【００１１】
請求項２に記載の発明は、前記ボックス本体の前記覆い壁の高さが、前記電源取り入れ口の高さより高いことを特徴とする請求項１に記載の電源ボックスである。
【００１２】
この請求項２に記載の発明によれば、ボックス本体の覆い壁の高さが、電源取り入れ口の高さより高いことで、簡単な構造で液の侵入をより確実に防ぐことができる。
【００１３】
請求項３に記載の発明は、前記覆い壁の上部に、前記電源ボックスの内部に外部から束線を引き回す切欠きを設けたことを特徴とする請求項１または請求項２に記載の電源ボックスである。
【００１４】
この請求項３に記載の発明によれば、覆い壁の上部の切欠きにより、束線を一度持ち上げてから電源ボックス内に引き回すので、液漏れ時に束線を伝わって浸透してくる液を電源ボックス内部に侵入するのを防ぐことができる。
【００１５】
請求項４に記載の発明は、前記覆い壁が平面視においてコの字型であることを特徴とする請求項１乃至請求項３のいずれか１項に記載の電源ボックスである。
【００１６】
この請求項４に記載の発明によれば、覆い壁が平面視においてコの字型であることで、横方向から回り込む液の侵入をも防ぐことができる。
【００１７】
請求項５に記載の発明は、前記液だれが発生し得る部位が、処理液で感光材料を現像処理する処理部の部位であることを特徴とする請求項１乃至請求項４のいずれか１項に記載の電源ボックスである。
【００１８】
この請求項５に記載の発明によれば、処理液で感光材料を現像処理する処理部の電源ボックス内部に液が侵入するのを防ぐことができる。
【００１９】
【発明の実施の形態】
以下、この発明の電源ボックスの実施の形態を図面に基づいて説明するが、この発明は、この実施の形態に限定されない。
【００２０】
この発明の電源ボックスを備えるカラープルーフ作成装置は、図１及び図２に示すように構成される。図１はカラープルーフ作成装置の概略構成を示す断面図、図２はカラープルーフ作成装置の概略構成を示す背面図である。
【００２１】
カラープルーフ作成装置１の装置本体２には、露光ユニット３及び現像処理ユニット４が備えられている。露光ユニット３の上部には、現像部側にセット部７が配置される。セット部７には、記録材料遮光用カバー９が開閉可能に設けられ、記録材料遮光用カバー９によりロール状の感光材料またはペーパー等の記録材料を収納した記録材料装填用マガジン１０がセット可能である。
【００２２】
現像処理ユニット４の側部には排紙部１５が設けられ、処理された感光材料が排紙部１５に排出される。
【００２３】
露光ユニット３には、給紙部２０、主走査部３０、副走査部４０及びアキュームレータ部６０が備えられている。給紙部２０には、搬送ローラ対２１、カッター部２２及び回転ローラ２３が記録材料装填用マガジン１０に対応して配置されている。記録材料装填用マガジン１０に対応して配置された搬送ローラ対２１により記録材料を引き出して、カッター部２２で所定の長さに切断し、回転ローラ２３を介して主走査部３０へ送るようになっており、この搬送ローラ対２１、カッター部２２及び回転ローラ２３が記録材料装填用マガジン１０から記録材料を供給する記録材料供給手段を構成する。
【００２４】
主走査部３０及び副走査部４０が記録材料に画像を記録する露光部５００を構成し、主走査部３０には、円筒を構成するドラム３１が回転可能に設けられ、記録材料がドラム３１の外表面に吸着されて一体に回転する。ドラム３１に対向して光学ユニット３２が配置され、光学ユニット３２は副走査部４０によりドラム軸と平行に移動可能になっている。光学ユニット３２は、デジタル画像信号を受けてドラム３１に吸着された記録材料にレーザービームで露光して画像の書き込みを行い、書込手段を構成している。
【００２５】
アキュームレータ部６０は、露光部５００から露光された記録材料を現像処理する現像処理ユニット４に備えられるプロセッサ部６００へ受け渡すために、記録材料を一時停留させる。このアキュームレータ部６０は、書き込みが終了した記録材料をドラム３１から剥離してプロセッサ部６００へ送り込む。このとき、プロセッサ部６００の搬送速度の方が露光部５００の排紙速度より遅い場合は、排紙速度が高速のままアキュームレータ部６０に送り込み、記録材料をアキュームレータ部６０に垂れ下がるようにしてアキュームさせ、プロセッサ部６００との搬送タイミングを合わせ、露光部５００の処理能力を落とさないようにしている。
【００２６】
現像処理ユニット４のプロセッサ部６００には、第２露光部４１（以下、反転露光ダイレクトポジ感材の例で記載する）、現像部４２、定着部４３、安定部４４及び乾燥部４５が備えられている。第２露光部４１により露光部５００で露光されなかった部分の記録材料が疑似画像を形成し、第２露光された記録材料は、現像部４２、定着部４３及び安定部４４へ搬送して現像処理され、この処理された記録材料は乾燥部４５で乾燥して排紙部１５へ送出される。
【００２７】
この露光ユニット３の背面には、図２に示すように、負荷制御部３００と光学制御３０１が配置されている。負荷制御部３００は、ドラム３１等の駆動源の負荷制御を行ない、光学制御３０１は光学ユニット３２等の光学制御を行なう。
【００２８】
また、現像処理ユニット４の背面には、図２に示すように、制御部４００と電源部４０１が配置されている。制御部４００は、第２露光部４１、現像部４２、定着部４３、安定部４４及び乾燥部４５等の制御を行なう。電源部４０１は、商用電源４０２に接続され、所定の電圧にして制御部４００、負荷制御部３００及び光学制御３０１に電源を供給する。
【００２９】
この電源部４０１は、現像部４２、定着部４３及び安定部４４の処理部の下方位置に配置され、液だれが発生し得る部位４６に取り付けられている。液だれが発生し得る部位４６としては、フレームや壁面等がある。
【００３０】
この電源ボックス４１０のボックス本体４１１は箱形に形成され、このボックス本体４１１の内部には、負荷制御部３００、光学制御３０１、制御部４００に配電する電源回路等の電気部品４１２が板４１４に実装して配置され、配電する束線４１３を外部から引き回せるようになっている。
【００３１】
この電源部４０１の電源ボックス４１０は、図３乃至図１０に示すように構成される。図３は電源ボックスの蓋体部材を取り外した状態の平面図、図４は蓋体部材を設けた状態で図３の矢印Ａ方向から見た図、図５は蓋体部材を取り外した状態で図３の矢印Ｂ方向から見た図、図６は蓋体部材を取り外した状態で図３の矢印Ｃ方向から見た図、図７は蓋体部材を設けた状態で図３の矢印Ｄ方向から見た図、図８は処理部の部位に取り付けた状態の電源ボックスの断面図、図９は図８のＩＸ−ＩＸ線に沿う断面図、図１０はボックス本体を構成する本体部材と蓋体部材の斜視図である。
【００３２】
この実施の形態の電源ボックス４１０のボックス本体４１１は、図８乃至図１０に示すように、本体部材４１１ａと蓋体部材４１１ｂとからなる。本体部材４１１ａに電気部品４１２を実装した板４１４が配置され、蓋体部材４１１ｂが電気部品４１２を覆うように本体部材４１１ａに組み付けられる。ボックス本体４１１は、本体部材４１１ａを液だれが発生し得る部位４６に固定して取り付けられる。
【００３３】
本体部材４１１ａの外壁は、平面視においてコの字状の３壁を有する形状であり、蓋体部材４１１ｂは側面視においてＬ字の板状に形成され、本体部材４１１ａの外壁を覆うように蓋体部材４１１ｂを組み付けてボックス本体４１１としている。
【００３４】
本体部材４１１ａの一方の外壁には、外部から束線４１３を引き回せるように電源取り入れ口４２０が設けられている。本体部材４１１ａには、電源取り入れ口４２０の入口部の電源ボックス内部側に、覆い壁４２１が電源取り入れ口４２０を囲むように取り付けられている。この覆い壁４２１は、図３に示すように、平面視においてコの字型である。
【００３５】
この覆い壁４２１の高さＨ１が、電源取り入れ口４２０の高さＨ２より高く形成され、この覆い壁４２１の上部には、切欠き４２１ａが形成されている。外部から引き回す束線４１３を一旦持ち上げてから切欠き４２１ａの位置に置き、束線４１３を電源ボックス４１０内部に引き回す。
【００３６】
この実施の形態の電源ボックス４１０は、電気部品４１２や束線４１３を組み付けた本体部材４１１ａを液だれが発生し得る部位４６に取り付け、その後に蓋体部材４１１ｂを組み付けるが、電気部品４１２や束線４１３を組み付けた本体部材４１１ａに蓋体部材４１１ｂを組み付けてユニットにして部位４６に取り付けてもよい。
【００３７】
この電源ボックス４１０は、電源ボックス４１０の電源取り入れ口４２０を囲む覆い壁４２１を設けることで、簡単な構造で液の侵入を防ぐと同時にケーブル等の束線を容易に配線することができる。
【００３８】
また、覆い壁４２１の上部の切欠き４２１ａにより、束線４１３を一度持ち上げてから電源ボックス４１０内に引き回すので、液漏れ時に束線４１３を伝わって浸透してくる液を電源ボックス内部に侵入するのを防ぐことができる。
【００３９】
また、ボックス本体４１１の覆い壁４２１の高さＨ１が、電源取り入れ口４２０の高さＨ２より高いことで、簡単な構造で液の侵入をより確実に防ぐことができる。また、覆い壁４２１が平面視においてコの字型であり、直進方向から流れ込む液に限らず、横方向から回り込む液の侵入をも防ぐことができ、電源ボックス４１０の内部の防水効果が得られる。
【００４０】
なお、この実施の形態では、本体部材４１１ａに電源取り入れ口４２０と、この電源取り入れ口４２０を囲む覆い壁４２１とを一体に設けているが、これに限定されず、蓋体部材４１１ｂに電源取り入れ口と、この電源取り入れ口を囲む覆い壁とを一体に設けてもよく、また本体部材４１１ａと蓋体部材４１１ｂに、電源取り入れ口と覆い壁とを別々に設けて組み付けて電源取り入れ口を覆い壁が囲むようにしてもよい。
【００４１】
【発明の効果】
以上詳細に説明したように、請求項１に記載の発明では、電源ボックスの電源取り入れ口を囲む覆い壁を設けることで、簡単な構造で液の侵入を防ぐと同時にケーブル等の束線を容易に配線することができる。
【００４２】
請求項２に記載の発明では、ボックス本体の覆い壁の高さが、電源取り入れ口の高さより高いことで、簡単な構造で液の侵入をより確実に防ぐことができる。
【００４３】
請求項３に記載の発明では、覆い壁の上部の切欠きにより、束線を一度持ち上げてから電源ボックス内に引き回すので、液漏れ時に束線を伝わって浸透してくる液を電源ボックス内部に侵入するのを防ぐことができる。
【００４４】
請求項４に記載の発明では、覆い壁が平面視においてコの字型であることで、横方向から回り込む液の侵入をも防ぐことができる。
【００４５】
請求項５に記載の発明では、処理液で感光材料を現像処理する処理部の電源ボックス内部に液が侵入するのを防ぐことができる。
【図面の簡単な説明】
【図１】カラープルーフ作成装置の概略構成を示す断面図である。
【図２】カラープルーフ作成装置の概略構成を示す背面図である。
【図３】電源ボックスの蓋体部材を取り外した状態の平面図である。
【図４】蓋体部材を設けた状態で図３の矢印Ａ方向から見た図である。
【図５】蓋体部材を取り外した状態で図３の矢印Ｂ方向から見た図である。
【図６】蓋体部材を取り外した状態で図３の矢印Ｃ方向から見た図である。
【図７】蓋体部材を設けた状態で図３の矢印Ｄ方向から見た図である。
【図８】処理部の部位に取り付けた状態の電源ボックスの断面図である。
【図９】図８のＩＸ−ＩＸ線に沿う断面図である。
【図１０】ボックス本体を構成する本体部材と蓋体部材の斜視図である。
【図１１】従来の電源ボックスの平面図である。
【符号の説明】
１  カラープルーフ作成装置
２  装置本体
３  露光ユニット
４  現像処理ユニット
１０  記録材料装填用マガジン
３１  ドラム
４１０  電源ボックス
４１１  ボックス本体
４１３  束線
４２０  電源取り入れ口
４２１  覆い壁
【図１】
2004172289.tif 000003
【図２】
2004172289.tif 000004
【図３】
2004172289.tif 000005
【図４】
2004172289.tif 000006
【図５】
2004172289.tif 000007
【図６】
2004172289.tif 000008
【図７】
2004172289.tif 000009
【図８】
2004172289.tif 000010
【図９】
2004172289.tif 000011
【図１０】
2004172289.tif 000012
【図１１】
2004172289.tif 000013